(57)【特許請求の範囲】
【請求項１】
光学部材が所定の軸線に対して角度で見て正確に向き付けられるように前記光学部材を取り付けるための取付け装置であって、
三角形のほぼ頂点に配置された３つの取付けエレメントが設けられており、少なくとも２つの取付けエレメントが、それぞれ、弾性的な旋回取付け部の弾性に抗して旋回可能であるように支持された旋回可能な取付け部材の一部に設けられており、さらに、旋回可能な取付け部材を旋回取付け部を中心にして旋回させ、これにより光学部材の向き付けを調整するために、旋回可能な取付け部材の別の部分のそれぞれに力を加えるための手段が設けられていることを特徴とする、取付け装置。
【請求項２】
取付けエレメントのうちの１つが定置であり、他の２つの取付けエレメントが、個々の旋回可能な取付け部材上に設けられている、請求項１記載の取付け装置。
【請求項３】
前記力を加える手段が、ソレノイドを含んでいる、請求項１又は２記載の取付け装置。
【請求項４】
旋回取付け部が、旋回可能な取付け部材の一体的な部分として形成されたトーションバー装置から成っている、請求項１から３までのいずれか１項記載の取付け装置。
【請求項５】
各旋回可能な取付け部材がほぼ細長く、該取付け部材の一方の端部の近くに取付けエレメントが設けられており、取付け部材の他方の端部に作用するように、力を加える手段が配置されている、請求項４記載の取付け装置。
【請求項６】
各旋回可能な取付け部材が、トーションバー旋回取付け装置を提供する一体的でかつ横方向に延びた結合部を有している、請求項５記載の取付け装置。
【請求項７】
取付けエレメントが、等角三角形の頂点に配置されている、請求項１から６までのいずれか１項記載の取付け装置。
【請求項８】
力を加える手段が、光学部材の検出された出力に基づき制御されるように配置されており、この場合、部材の向き付けを自動的に調整することができるようになっている、請求項１から７までのいずれか１項記載の取付け装置。
【発明の詳細な説明】
【０００１】
【発明の属する技術分野】
本発明は、光学部材の取付けに関する。
【０００２】
【従来の技術】
分光計等の機器においては、しばしば、予め選択された軸線に対して光学部材が正確に整合させられかつこの整合が機器の動作時に維持されることができるように光学部材が取り付けられる要求がある。
【０００３】
【発明が解決しようとする課題】
したがって、本発明は、比較的単純でかつ効果的な形式で前記要求を達成することができるような取付け装置を提供することである。
【０００４】
【課題を解決するための手段】
この課題を解決するために本発明の構成では、三角形のほぼ頂点に配置された３つの取付けエレメントが設けられており、少なくとも２つの取付けエレメントが、それぞれ、弾性的な旋回取付け部の弾性に抗して旋回可能であるように支持された旋回可能な取付け部材の一部に設けられており、さらに、旋回可能な取付け部材を回転取付け部を中心にして旋回させ、これにより光学部材の向き付けを調整するために、旋回可能な取付け部材の別の部分のそれぞれに力を加えるための手段が設けられているようにした。
【０００５】
【発明の効果】
前記装置では、１つの取付けエレメントが定置であり、他の２つがそれぞれ、旋回可能な取付け部材に設けられている。
【０００６】
力を加える手段が、ソレノイドを含んでいてよい。
【０００７】
旋回取付け部は、旋回可能な取付け部材の一体的な部分として形成されたトーションバー装置から成っていていよい。
【０００８】
各旋回可能な取付け部材が、ほぼ細長く、この取付け部材の一方の端部の近くに取付けエレメントが設けられており、取付け部材の他方の端部に作用するように、力を加える手段が配置されている。各回転可能な取付け部材は、トーションバー旋回取付け装置を提供する一体的でかつ横方向に延びた結合部を有していてよい。
【０００９】
取付けエレメントは、等角三角形の頂点に配置されていてよい。
【００１０】
本発明に基づき構成された装置では、光学部材が、３つの取付けエレメントに支持されるように取り付けられている。光学部材は、取付け部材が旋回取付け部の弾性に抗して移動するように旋回可能な取付け部材の一方又は両方に力を加えることによって整合させられる。旋回させる力が除去されると、旋回取付け部は旋回取付けの弾性の作用によって元の位置へ戻る。旋回可能な取付け部材に力を加える手段は、フィードバックループ装置に組み込まれていてよく、光学部材から取り出される出力を検出することにより、検出された信号に基づき光学部材の整合を自動的に行うことができる。例えば、取付け装置は、この検出される信号が最大に維持されるようになっていてよい。
【００１１】
【発明の実施の形態】
以下に本発明の実施の形態を図面につきさらに詳しく説明する。
【００１２】
図面に示された取付け装置は、取付けプレート１２に形成された円形の開口１１内に光学部材１０を支持するように形成されている。開口１１は、この開口を取り囲むプレートの壁部の下部の周縁に、円周に亘って半径方向内向きに延びたリップ１４が形成されるように形成されている。定置の第１の取付けパッド１６は、リップ１４において支持されている。
【００１３】
定置のパッド１６から１２０゜だけ間隔を置いた位置に２つの取付けアセンブリ１８，１９が設けられている。図３に特に示したように、各取付けアセンブリ１８は、細長い取付け部材２０を形成するように取付けプレート１２を適切な位置において機械加工することによって形成されており、前記取付け部材２０は、トーションバー装置を形成するように、横方向に延びた部分２１，２２によって取付けプレートの本体に一体的に結合されている。光学部材の取付けパッド２４は、細長い取付け部材２０の半径方向内方の部分に設けられており、これに対して、他方の端部は、ソレノイド（図示せず）に接続されたソレノイドロッド２６によって加えられる力を受けることができる。図３から分かるように、矢印２８の方向で下方に加えられる力は、横方向に延びた部分２１，２２を中心にして細長い取付け部材２０を僅かに旋回させ、これにより取付けパッド２４を持ち上げる。同様に、この力が減じられると、取付けパッド２４は、装置の自然な弾性により下部の位置へ戻る。図３に示された装置によって提供することができる取付けパッド２４の移動の範囲は、数μｍのオーダである。
【００１４】
図３に示された取付けアセンブリは、図１に示した位置１８，１９のそれぞれ設けられている。
【００１５】
したがって、図２に示したように、光学部材は、等しい角度で間隔を置かれた位置において取付けパッド１６と２つの取付けパッド２４とに取り付けられている。取付けプレート１２にねじ３２によって取り付けられた板ばね３０は、開口１１の内部で取付けパッド上の所定の位置に光学部材を保持する。
【００１６】
運転中、定置のパッド１６は、光学部材１０のための旋回点として働き、これに対して、他の２つの取付けパッド２４は、旋回点を中心にして光学部材を旋回させるために調整されることができる。光学部材の調整が必要な場合には、どちらか又は両方の線形ソレノイドが励磁され、これにより、細長い取付け部材２０の半径方向外側の端部に力を加える。これにより、取付けパッド２４を支持した細長い取付け部材の反対側の端部が僅かにたわみ、ひいては取付けパッド１６を中心にして光学部材を旋回させる。ソレノイドへの電流を増大することにより、ソレノイドによって加えられる力を増大させ、これにより取付けパッドの増大した移動を提供することができる。このこと自体は、旋回パッドを中心にして光学部材を旋回させ、これにより、光学部材の向き付けを変化させる。光学部材の出力信号を監視することにより、例えば光学的な出力が最大であるときに光学部材が最適な位置に保持されるように、２つのソレノイドを制御することが可能である。
【００１７】
トーションバーアセンブリの弾性限界を超過しないならば、ソレノイドの力が低減又は排除されると装置は元の位置へ戻る。したがって、両ソレノイドにおける電流を制御することにより、取付けパッド２４のたわみは、取付けパッドの移動の制限内で光学部材１０があらゆる所望の向きを占めるように、使用されることができる。
【００１８】
図２に示したように、光学部材は鏡であることができ、この場合、光ビーム３４が鏡に入射するように示されている。この鏡から反射される出力信号を監視し、適当なフィードバック装置を使用することにより、光エネルギを最大に維持するために、ソレノイドに加えられる電流の自動の調整を行うことができる。
【図面の簡単な説明】
【図１】本発明の実施例による取付け装置を示す概略的な平面図である。
【図２】図１のＸ−Ｘ線に沿って見た縦断面図である。
【図３】図１の取付け装置の一部をさらに詳しく示した図である。
【符号の説明】
１０  光学部材、  １１  開口、  １２  取付けプレート、  １４  リップ、１６  取付けパッド、  １８，１９  取付けアセンブリ、  ２０  取付け部材、  ２１，２２  横方向に延びた部分、  ２４  取付けパッド、  ２６  ソレノイドロッド、  ２８  矢印、  ３０  板ばね、  ３２  ねじ、  ３４  光ビーム
【図１】
0004215326.tif 000002
【図２】
0004215326.tif 000003
【図３】
0004215326.tif 000004